(57)【特許請求の範囲】
【請求項１】
導電性の材料から成って、一端で回路基板に接続する基板接続部と、
他端で電子部品のリード線を挟持するための、弾性変位可能な一対の並行した挟持片を備えたリード線挟持部と、
前記基板接続部及び前記リード線挟持部を一体化するためのベース部と、
を有する電子部品接続ターミナルであって、
前記一対の挟持片の対向する側面は、先端部から並行して、基端部でつながって湾曲部を形成し、
当該湾曲部は、並行する前記側面間距離の半分を曲率半径とする曲率よりも小さな曲率の曲面を構成要素とすることで、前記湾曲部に臨む周辺領域の領域長を長くし、
前記側面と前記湾曲部とのつながりは穏やかな曲線で結ばれているところに特徴を有する接続ターミナル。
【請求項２】
前記挟持片の基端部の外側側面に凹状の側面湾曲部を備えることで、当該側面湾曲部に臨む周辺領域の領域長を長くした請求項１に記載の接続ターミナル。
【請求項３】
前記挟持片は、先端の内側側面に起伏部を備えた請求項１又は２に記載の接続ターミナル。
【請求項４】
請求項１から３の内いずれか一項に記載の接続ターミナルを備えた電子部品フォルダ。
【請求項５】
前記電子部品フォルダであって、電子部品のリード線を保護するための保護カバーを備
えた請求項４に記載の電子部品フォルダ。
【請求項６】
前記保護カバーが仮係止機構を備えた請求項５に記載の電子部品フォルダ。
【請求項７】
前記保護カバーがリード線押さえ機構を備えた請求項５又は６に記載の電子部品フォルダ。
【発明の詳細な説明】
【技術分野】
【０００１】
本発明は電子部品を回路基板に接続するための接続ターミナル、及びこの接続ターミナルを組込だ電子部品フォルダに関する。
【背景技術】
【０００２】
車は衝突時の安全性を確保するためにエアバッグやプリテンショナーシートベルト等の電子制御装置を備える。ダッシュボード等に納められたエアバッグは衝突時の衝撃で瞬時に膨らみ、ダイレクトにガラス面に衝突することを回避することで、乗員が受ける衝撃を和らげるものである。プリテンショナーシートベルトも衝突時の衝撃で作動して、乗員の安全を守るものである。
【０００３】
このように衝突という非常時に１００パーセントの作動が求められるエアバッグやプリテンショナーシートベルトは、作動回路の電気系統にバックアップ用の電源を備えている。１次系統は車載バッテリーを電源とし、２次系統は電解コンデンサをバックアップ電源とするのが一般的である。
【０００４】
電解コンデンサはコンデンサ素子と、コンデンサ素子を収容するケース本体とからなる。ケース本体は一端が閉じられた金属製の円筒ケースと、このケースの開口端を封口するゴム製の封口部品、及びこの封口部品を貫通してコンデンサ素子に電気的機械的に接続する電極リード線とから成る。電源バックアップ用コンデンサは一瞬にして複数の装置を作動させるために大きな静電容量が必要とされ、比較的大きなサイズの電解コンデンサが使用される。電解コンデンサのサイズは直径２０ｍｍ前後，全長５０ｍｍ前後が一般的である。
【０００５】
電解コンデンサの回路基板への接続は、電解コンデンサから導出した２本の電極リード線を直接回路基板にはんだ実装する直付け方法がある。しかし比較的大きなサイズのものを、リード線で回路基板にはんだ実装した場合、走行時の揺れや振動等の衝撃で、リード線の断線や接続部のはんだ割れ等の不具合が発生するおそれがある。そこで接続の信頼性を高めるためにリード線と回路基板の端子間に接続補助具（以下接続ターミナルと言う）を介して接続する方法が一般的に採られている。
【０００６】
接続ターミナルは、導電性からなる平板状の金属部材を所定の形状に加工したもので、矩形状のベース部の一辺に電解コンデンサ本体の端面から導出したリード線に接続する一対の挟持片を備えた挟持部と、他辺に回路基板に接続する基板接続部とを備えている。
【０００７】
電解コンデンサ本体の端面から導出したリード線の外周の一部を前述の接続ターミナルのリード線挟持部で挟持して電気的接続状態を得る。接続は、挟持部を構成する対向する挟持片の側面で形成された切欠溝でリード線の外周の一部を挟持する方法が採られる。このとき、切欠溝の溝幅はリード線の外周直径に比べて小さく作られているので、切欠溝を広げながらリード線は所定の位置まで嵌め込まれると同時に、接触部では切欠溝のエッジがリード線の外周表面に食い込むようにして良好な電気的機械的接続状態を形成する。
【０００８】
このような接続方法を採る従来技術では、リード線を挟持した挟持片は切欠溝を広げる方向に屈曲し、屈曲部に当たる挟持片の基端部周辺では集中的に歪が発生する。このとき、比較的大きな歪が生じるのは対向する基端部に挟まれた湾曲部周辺、及び基端部外側の側面周辺の比較的狭隘な部分なので、応力はこれらの領域に偏在しやすい。
【０００９】
湾曲部周辺及び側面周辺の応力の偏在は、挟持片の屈曲が弾性域を超えて塑性域で生じるおそれが高まることを意味する。このような塑性域での変形が生じると歪が生じた状態で固定し変形は元に戻る機能を失う。
【先行技術文献】
【特許文献】
【００１０】
【特許文献１】特開２００８−１２４２４４
【発明の開示】
【発明が解決しようとする課題】
【００１１】
このような塑性変形した挟持片でリード線の外周の一部が固定された状態では、接続の信頼性を確保することは困難である。本発明は、このような問題点に鑑みてなされたもので、挟持片の屈曲を弾性域内の変形に留めて、接続の信頼性を高めた接続ターミナル及びこの接続ターミナルを組込だ電子部品フォルダを提供することを目的とする。
【課題を解決するための手段】
【００１２】
本発明は上記課題を解決するために下記の手段を採用した。
（１）導電性の材料から成って、一端で回路基板に接続する基板接続部と、他端で電子部品のリード線を挟持するための、弾性変位可能な一対の並行した挟持片を備えたリード線挟持部と、前記基板接続部及び前記リード線挟持部を一体化するためのベース部と、を有する電子部品接続ターミナルであって、前記一対の挟持片の対向する側面は、先端部から並行して、基端部でつながって湾曲部を形成し、当該湾曲部は、並行する前記側面間距離の半分を曲率半径とする曲率よりも小さな曲率の曲面を構成要素とすることで、前記湾曲部に臨む周辺領域の領域長を長くし、前記側面と前記湾曲部とのつながりは穏やかな曲線で結ばれているところに特徴を有する接続ターミナルである。
【００１３】
一対の挟持片の基端部間に形成された湾曲部が、対向する挟持片の側面の平行距離の半分を曲率半径とする曲率に比べて曲率が小さな曲面を構成要素とするので、湾曲部の輪郭距離は長くなり、湾曲部に臨む周辺領域の領域長は広がる。その結果、挟持片の屈曲部に生じる応力はこの広がった周辺領域に分散されて平均化する。
【００１４】
ここで「前記一対の挟持片の対向する側面は、先端部から並行して」とは、一対の挟持片の対向する側面は平行状態にある場合の他、多少の傾きを有している場合があってよいという意味である。対向する側面距離が先端から基端へ進むにつれて順次大きくなる場合であってよく、あるいは順次小さくなる場合であってもよい。
【００１５】
また「基端部でつながって湾曲部を形成し」とは、一対の挟持片のその対向する側面は先端から基端までは並行状態で離間していて、基端部の終点では湾曲部を形成してつながっているという意味である。
【００１６】
また、「小さな曲率」とは、対向する挟持片の側面距離の半分を曲率半径とする曲率に比べて小さな曲率という意味である。湾曲部はこのような曲率の曲面で構成されているので湾曲部に臨む周辺領域の領域長は広がるわけである。ここで湾曲部を構成する曲面の曲率は一定であってもよく、曲面が複数の曲率の曲面の組み合わせであってもよい。曲率が一定の場合の湾曲部は一部に欠けた部分を有する円形である。
【００１７】
（２）前記挟持片の基端部の外側側面に凹状の側面湾曲部を備えることで、当該側面湾曲部に臨む周辺領域の領域長を長くした（１）に記載の接続ターミナルである。
【００１８】
挟持片は、基端部の外側側面に凹状の側面湾曲部を備えているので、外側側面の輪郭距離はストレートでつながる場合に比べて長くなり側面湾曲部に臨む周辺領域の領域長は広がる。その結果、挟持片の屈曲部に生じる応力はこの広がった周辺領域に分散されて平均化する。
【００１９】
また、挟持片の基端部は内側からは湾曲部が迫り、外側からは側面湾曲部が迫るので双方の湾曲部に挟まれた領域の面積は狭められる。その結果、挟持片の屈曲部の剛性は軽減される。
【００２０】
（３）前記挟持片は、先端の内側側面に起伏部を備えた（１）又は（２）に記載の接続ターミナルである。
【００２１】
挟持片は先端の内側側面に起伏部を備えている。その結果、揺れや振動等の衝撃が生じたときに接続ターミナルからリード線が抜けようとする際の引掛かりとなる。
【００２２】
（４）上記（１）から（３）の内いずれか一項に記載の接続ターミナルを備えた電子部品フォルダである。
【００２３】
上記（１）から（３）の内いずれか一項に記載の接続ターミナルを備えた電子部品フォルダであるので、接続信頼性の向上した接続ターミナルを備えた電子部品フォルダである。
【００２４】
（５）前記電子部品フォルダであって、電子部品のリード線を保護するための保護カバーを備えた（４）に記載の電子部品フォルダである。
【００２５】
電子部品から導出したリード線を保護するカバーを備えているので、揺れや振動等の衝撃が生じたときに接続ターミナルからリード線が外れようとするのを物理的に押さえる。
【００２６】
（６）前記保護カバーが仮係止機構を備えた（５）に記載の電子部品フォルダである。
【００２７】
保護カバーが仮係止機構を備えているので、安全に電子部品フォルダを梱包、搬送できる。
【００２８】
（７）前記保護カバーがリード線押さえ機構を備えた（５）又は（６）に記載の電子部品フォルダである。
【００２９】
保護カバーがリード線押さえ機構を備えているので、揺れや振動等の衝撃が生じたときに、接続ターミナルからリード線が外れようとするのを物理的に押さえ込む。
【発明の効果】
【００３０】
本発明は、接続ターミナルが電子部品から導出したリード線を弾性変形領域内の変形で挟持するので、復元力の持続した信頼性の高い接続技術を提供できる。
【図面の簡単な説明】
【００３１】
【図１】接続ターミナルを組込だ状態の電解コンデンサフォルダの外観斜視図である。（１）は電解コンデンサフォルダ、（２）は接続ターミナル部の拡大図である。
【図２】接続ターミナルの外観斜視図である。
【図３】電解コンデンサフォルダと電解コンデンサの外観斜視図である。（１）は電解コンデンサ収容前、（２）は電解コンデンサ収容時である。
【図４】接続ターミナルの外観図である。（１）は外観斜視図、（２）は外観正面図である。
【図５】接続ターミナルにリード線を挿入する工程図である。（１）は案内部にあるリード線、（２）は起伏部を通過中のリード線、（３）は起伏部を通過したリード線、（４）は接続位置にあるリード線である。
【図６】カバー付電解コンデンサフォルダの外観斜視図である。（１）は電解コンデンサ収容前、（２）は電解コンデンサ収容時、（３）はカバーをロックしたところである。
【図７】カバー付電解コンデンサフォルダのカバー部分の拡大斜視図である。（１）は仮係止部分の（Ａ）は拡大斜視図、（Ｂ）は断面図、（２）は係合部分の（Ａ）は拡大斜視図、（Ｂ）は断面図、（３）はリード線押さえ部分の（Ａ）は拡大斜視図、（Ｂ）は断面図である。
【発明を実施するための最良の形態】
【００３２】
これより図面を参照しながら発明の実施形態について説明する。
【００３３】
(第１実施形態)
〈電解コンデンサフォルダ〉
図１を参照して電解コンデンサフォルダについて説明する。図１は接続ターミナルを組込だ状態の電解コンデンサフォルダの外観斜視図である。（１）は電解コンデンサフォルダの外観斜視図、（２）は接続ターミナル組付部の拡大図である。
【００３４】
電解コンデンサフォルダ３は、絶縁性からなる合成樹脂材料の射出成型品で、電解コンデンサ２を収容して、回路基板４に電気的機械的に接続するための装置である。本第１実施形態では成形性、耐熱性及び経済性等を考慮して合成樹脂材料にＰＢＴ(Ｐｏｌｙｂｕｔｙｌｅｎｅｔｅｒｅｐｈｔａｌａｔｅ)を使用する。
【００３５】
電解コンデンサフォルダ３は、電解コンデンサ収容部３０と、それと一体的に形成される接続ターミナル組付部３１とを備える。電解コンデンサ収容部３０は、電解コンデンサ２を収容する蓋のないボックス状のケースで底壁３００と、左右２枚の側壁３０１および３０１と、前後に前壁３０２及び後壁３０３とを備える。ケース内の両サイドには、円筒形の電解コンデンサ本体２ａを側面から抱え込むようにして支えるフォールド部３０４および３０４を備える。前壁３０２には、電解コンデンサ２のリード線２０を支持するためのリード線受部３０５が備わる。また、前壁３０２の前面には、接続ターミナル組付部３１が備わる。
【００３６】
リード線受部３０５は、収容された電解コンデンサ本体２ａの端面から導出したリード線２０を支持するもので絶縁性の板状片にリード線２０を受けるための２個の溝３０５ａおよび３０５ｂを備える。電解コンデンサ本体２ａが電解コンデンサ収容部３０に正しい姿勢で収まったときに、リード線２０はリード線受部３０５に無理なく収まる。
【００３７】
接続ターミナル組付部３１は、高さ方向に平板状の接続ターミナル１を圧入するための圧入孔３１０を２個備える。本第１実施形態では、接続ターミナル組付部３１は電解コンデンサ収容部３０と同時に一体的に形成されるが、別体部品であって後から組み付ける方式であってもよい。又接続ターミナルはインサート成形方式で成形と同時に組み付ける方法をとってもよい。
【００３８】
〈接続ターミナル〉
図２を参照して接続ターミナルについて説明する。図２は接続ターミナルの外観斜視図である。接続ターミナル１は、導電性からなる金属の板材を所定の形状に打ち抜いたものである。本第１実施形態では、導電性、ばね性、及び経済性等を考慮してりん青銅を使用する。板厚は０．６ミリメートルで表面は錫めっき処理材である。めっき処理の工程は成形前、成形後のどちらであってもよく、表面に錫めっき等の表面処理がない場合であってもよい。本第１実施形態では耐食性を考慮して錫めっき処理材を使用する。
【００３９】
接続ターミナル１は、回路基板４に電気的機械的に接続する基板接続部１２と、電解コンデンサ本体２ａの端面から導出したリード線２０の外周の一部に電気的機械的に接続するリード線挟持部１１とを備える。本第１実施形態の基板接続部１２及びリード線挟持部１１は、矩形状のベース部１０の対向する一辺に備わり直線上に位置するが、この直線配置形態に限るものではなく、基板接続部１２とリード線挟持部１１とが９０度の位置関係で配置されていてよく、他の角度をとって配置されていてもよい。
【００４０】
基板接続部１２は、平板状の表面実装端子を備える。本第１実施形態ではこのように基板接続部１２に表面実装端子を備えたが、本発明は接続方式をこの方式に限定するものではなく、半田ディップ方式であってよく、又目的を同じくする他の公知の方式を使用してもよい。
【００４１】
リード線挟持部１１は、対向する一対の挟持片１１ａを有する。挟持片１１ａは対向する挟持片１１ａの側面で切欠溝１１ｂを形成するように、並行して伸びた片持梁状の一対の弾性片である。したがって挟持片１１ａは、基端部を支点として接続ターミナル１の平板面上を限られた範囲内で弾性的に変位可能である。本第１実施形態では切欠溝１１ｂの溝間距離は部位によって異なっていて、底部に向かうにしたがって順次狭くなっている。その結果、適切な挟持力と違和感のないリード線挿入感が得られる。
【００４２】
〈接続ターミナル  湾曲部〉
図２を参照して湾曲部の説明をする。対向する挟持片１１ａは側面で切欠溝１１ｂを形成して、切欠溝１１ｂの底部には、半径ｒの曲率で形成された湾曲部１１２を形成する。このとき、切欠溝１１ｂの溝間距離の半分ｒ´は、半径ｒよりも小さい。
【００４３】
このように対向する挟持片１１ａの基端部の間に形成された湾曲部１１２が、対向する挟持片１１ａの側面で形成された切欠溝１１ｂの溝間距離の半分を曲率半径とする曲率よりも小さな曲率の曲面を構成要素とすることで、湾曲部１１２の輪郭距離は長くなるとともに、湾曲部１１２に臨む周辺領域の領域長は広がる。その結果、挟持片１１ａの屈曲部に生じる応力はこの広がった周辺領域に分散されて平均化する。また、直線部から曲線部へのつながりは緩やかな曲線で結ばれていて応力の集中しやすいコーナ部の形成は適切に回避されていることは勿論である。
【００４４】
〈接続ターミナル  側面湾曲部〉
一対の挟持片１１ａの基端部の外側側面に凹形状の側面湾曲部１１１を形成して、一対の挟持片１１ａは全体として基端部付近でくびれた形状を呈する。挟持片１１ａは、基端部の外側側面に凹状の側面湾曲部１１１を備えているので、外側側面の輪郭距離はストレートでつながる場合に比べて長くなり側面湾曲部１１１に臨む周辺領域の領域長は広がる。その結果、挟持片１１ａの屈曲部に生じる応力はこの広がった周辺領域に分散されて平均化し、偏在的な応力の集中は緩和され変形は弾性域内の変形に収まりやすくなる。
【００４５】
また挟持片１１ａの基端部は内側からは湾曲部１１２が迫り、外側からは側面湾曲部１１１が迫るので双方の湾曲部に挟まれた領域の面積は狭められる。その結果、挟持片の屈曲部の剛性は軽減されるので過度の負荷から生じるおそれのある部材の変形、破壊等の損傷の回避を図ることができる。
【００４６】
〈接続ターミナル  起伏部〉
挟持片１１ａは、先端部の内側側面に起伏部１１３を備える。対向して備わる一対の起伏部１１３の頂点間距離の半分ｒ´´は、切欠溝１１ｂの溝間距離ｒ´及びリード線２０の半径Ｒよりも狭い。その結果、リード線２０を挟持片１１ａに挿入する際にはクリック感が生じるとともに、挟持後はリード線２０が挟持片１１ａから脱落するのを効果的に防ぐ。又小さすぎた場合には、リード線２０の挟持時に必要以上に挟持片１１ａを変形させることとなるから注意を要する。
【００４７】
ベース部１０は矩形状の平板で、リード線挟持部１１と、基板接続部１２とをそれぞれ対向する一辺に備えて一体とする。本第１実施形態ではリード線挟持部１１、ベース部１０及び基板接続部１２は直線上に並ぶ。
【００４８】
〈電解コンデンサの収容〉
次に図１及び図３を参照して電解コンデンサフォルダ３への電解コンデンサ２の収容について説明する。図３は電解コンデンサフォルダと電解コンデンサの外観斜視図である。（１）は電解コンデンサ収容前、（２）は電解コンデンサ収容時の外観斜視図である。
【００４９】
電解コンデンサ２はプラス及びマイナスのリード線２０を１個ずつ計２個備える。接続ターミナル組付部３１の一方の極性にのみに備わるリード線溝３１１に、電解コンデンサ本体２ａの端面から導出した２個のリード線２０の一方にのみ備わる先端折れ部を沿わせるようにして電界コンデンサ２を電解コンデンサ収容部３０へ収容する。本第１実施形態では、このようにリード線溝３１１にリード線２０の折れ部を合わせる簡便な方法で極性の誤装着を防ぐことができる。
【００５０】
電解コンデンサ２を電解コンデンサフォルダ３に収容する際、電解コンデンサ本体２ａの端面から導出したリード線２０は接続ターミナル１のリード線挟持部１１に挿入されて電気的機械的接続を得る。このとき、リード線挟持部１１には起伏部１１３による挿入抵抗があるので、リード線２０の変形を防ぐ目的でリード線２０を支持しながら挿入を進める（図示しない）治具を使用するとよい。筒状の電解コンデンサ２は、電解コンデンサ収容部３０の底壁３００、側壁３０１および３０１、前壁３０２、後壁３０３及びフォールド部３０４および３０４のそれぞれの壁面によって動かないように保持される。
【００５１】
〈接続ターミナルとリード線の接続〉
次に図４及び図５を参照して接続ターミナルとリード線との接続について説明する。図４は接続ターミナルの外観図である。（１）は外観斜視図、（２）は外観正面図である。図５は接続ターミナルにリード線を挿入する工程図である。（１）は挿入口にあるリード線、（２）は起伏部を通過中のリード線、（３）は起伏部を通過したリード線、（４）は接続位置にあるリード線である。
【００５２】
接続ターミナル１に備わる対向する挟持片１１ａにリード線２０を挟持する。挟持位置は、挟持片１１ａのほぼ中間部である。切欠溝１１ｂへの挿入口は緩やかな曲面の逆ハの字型である。リード線２０はこの逆ハの字型に沿うようにして切欠溝１１ｂに案内される。途中、挿入口から切欠溝１１ｂへ至る間に起伏部１１３を超えなければならない。上述したように起伏部１１３はリード線２０の挿入に際してはクリック感を与えるとともに、リード線２０を挿入した後は抜け防止の機能を有する。対向する起伏部１１３の頂点間距離の半分ｒ´´はリード線２０の半径Ｒに比べて小さい。そのためにリード線２０が起伏部１１３を通過する際に挟持片１１ａは外側に屈曲する。本第１実施形態では、屈曲が弾性域内で生じるように起伏部１１３の起伏高さを調整している。起伏部１１３が高すぎる場合或いは／又は挟持片１１ａの剛性が大きすぎる場合には、過度の負荷による挟持片１１ａの座屈、変形等の損傷が生じるおそれがあるので留意を要する。
【００５３】
リード線２０は起伏部１１３の頂点１１３ａを通過して起伏部１１３のふもとに近づき切欠溝１１ｂに掛かると、溝間距離は広がるために挟持片１１ａの屈曲は多少元に戻る。しかし、このときの復元は完全ではなく、幾分かの屈曲を内在させたままである。このことで挟持片１１ａとリード線２０の外周の一部との当接部で接触応力が作用する。この接触応力が挟持片１１ａのリード線２０に対する挟持力である。この挟持力を作用させた状態でリード線２０は所定の位置まで切欠溝１１ｂを進む。本第１実施形態では、上述したように切欠溝１１ｂの幅は順次狭まるように構成されているので、進むにつれて挟持片１１ａの屈曲量は増加する。その結果、復元力は増してリード線２０を挟持する力は増加する。これによって接続ターミナル１とリード線２０との間の電気的機械的接続は一層信頼性が高められることとなる。
【００５４】
リード線２０は所定位置に達したところで維持される。この位置での挟持力はリード線２０の直径と、この位置における溝部１１ｂ本来の溝間距離との寸法差が重要な要素である。この一連のリード線２０の挿入過程でリード線２０と切欠溝１１ｂとの摺動面は互いに表層を削り合う。それにより接触面に介在していた絶縁性の金属酸化膜やその他の異物質は接触界面から除去されて、結果良好な電気的接続面が露出する。
【００５５】
〈湾曲部の作用〉
次に図４及び図５を参照して、リード線２０の接続ターミナル１への挿入過程および挿入状態における、挟持片１１ａの基端部の間に形成された湾曲部１１２及び基端部の外側側面に形成された側面湾曲部１１１の作用について説明する。
【００５６】
リード線２０が切欠溝１１ｂに挿入されると挟持片１１ａは外側に屈曲する。挟持片１１ａの屈曲は、片持梁の変位とみなせるものであるから歪が発生する。一般に歪は、屈曲片の基端部に近いほど大きくなるとともに、屈曲箇所の縁部に近づくほど大きくなる。このような力学的性質に照らして、挟持片１１ａの基端部は屈曲時に構造的に応力が集中しやすいところである。特に基端部側面の側面湾曲部１１１の周辺領域、及び対向する基端部に挟まれた湾曲部１１２の周辺領域は応力が集中しやすいところである。
【００５７】
本発明は、一つには力学的性質上本来的に変形時の応力が作用しやすい屈曲片の基端部周辺の狭隘な領域を拡張して集中した応力の分散化を図るものである。領域の拡大は、一つは対向する挟持片１１ａの側面で形成された切欠溝１１ｂの底部に曲率の小さな曲面で構成された湾曲部１１２を形成することである。更に一つは、基端部近くの外側側面に凹部形状の側面湾曲部を形成することである。その結果、挟持片が屈曲したときの屈曲部に生じる応力はこの広がった周辺領域に分散されるので、偏在的な応力の集中は緩和され変形は弾性域内の変形に収まりやすくなる。
【００５８】
又本発明は、一つには挟持片１１ａの剛性を軽減して適度な剛性とすることで過度の負荷から生じる部材の変形、破壊等の損傷の回避を図るものである。剛性の軽減は挟持片１１ａの基端部の内側では湾曲部１１０が迫り、外側では側面湾曲部１１１が迫るので、２つの湾曲部に挟まれた領域が狭められることによる。
【００５９】
(第２実施形態)
〈カバー付きフォルダ〉
次に図６及び図７を参照してリード線の保護カバーが付いた電解コンデンサフォルダについて説明する。図６はカバー付電解コンデンサフォルダの外観斜視図である。（１）は電解コンデンサ収容前、（２）は電解コンデンサ収容時、（３）は保護カバーをロックした状態の外観斜視図である。図７はカバー付電解コンデンサフォルダのカバー部分の拡大斜視図である。（１）は仮係止部分の（Ａ）は拡大斜視図、（Ｂ）は断面図、（２）は係合部分の（Ａ）は拡大斜視図、（Ｂ）は断面図、（３）はリード線押さえ部分の（Ａ）は拡大斜視図、（Ｂ）は断面図である。
【００６０】
〈保護カバーの構造等〉
カバー付電解コンデンサフォルダ５０３は、電解コンデンサフォルダ３にリード線２０を保護する保護カバー５３２を付加した構造である。重複説明を避けるために保護カバー５３２及びこれに係わる接続ターミナル５３１についてのみ説明する。なお本第２実施形態では、電解コンデンサ本体２ａの端面から導出したリード線２０の形状を露出部分の半分ほどの位置で外向きに９０度屈曲した形態を採用しているが、勿論第１実施形態で用いた直線状のリード線であってもよい。
【００６１】
保護カバー５３２は、電解コンデンサフォルダ５０３に収容された電解コンデンサ本体２ａの端面から導出した２個のリード線２０を保護するためのものである。保護カバー５３２は電解コンデンサフォルダ５０３とは別体部品であって、絶縁材から成る合成樹脂の射出成型品である。本第２実施形態では、合成樹脂材は電解コンデンサフォルダ５０３と同じＰＢＴ（Ｐｏｌｙｂｕｔｙｌｅｎｅｔｅｒｅｐｈｔａｌａｔｅ）を使用している。
【００６２】
保護カバー５３２は、矩形体の本体５３２ａの長手方向の両側に支柱用の側壁部５３２ｂおよび５３２ｂを備えた構造である。側壁部５３２ｂの先端部中央付近から中央部にかけて穿孔５３２ｃが形成される。穿孔５３２ｃの輪郭は円形と方形とが結合した鍵穴形状である。穿孔５３２ｃは電解コンデンサフォルダ５０３の端部に備わる接続ターミナル組付部５３１の側壁中央に備わる軸５３１ａに回転自在に係合して、保護カバー５３２を支持する。
【００６３】
〈保護カバーの取り付け〉
次に、図６及び図７を参照して保護カバー５３２の電解コンデンサフォルダ５０３への取り付けについて説明する。合成樹脂の有する可撓性を利用して保護カバー５３２を接続ターミナル組付部５３１に取り付ける。前後方向の向きに注意して、保護カバー５３２を起こした状態で、両側面の側壁部５３２ｂおよび５３２ｂを外向きに開いて間口を広げ、両方の穿孔５３２ｃおよび５３２ｃが軸５３１ａおよび５３１ａに係合するように接続ターミナル組付部５３１にやや力をこめて取り付ける。
【００６４】
電解コンデンサフォルダ５０３に取り付けられた保護カバー５３２は、軸５３１ａを中心にして穿孔５３２ｃで自在に回転する。このとき、軸５３１ａの回転軸部の輪郭は半円同士を直線でつないだ形状である。この直線は円の中心を挟んで平行して上下方向に備わり、この平行間隔は穿孔５３２ｃの方形部分の幅寸法よりやや小さいもので、この穿孔５３２ｃの幅部で軸５３１ａの平行部分は自在にスライドする。
【００６５】
〈保護カバーの動き〉
保護カバー５３２は、穿孔５３２ｃの円形部を軸５３１ａに合わせて自在に回転する。本第２実施形態では、自在回転量は保護カバー５３２が横になった状態（図６の（１））から起きた状態（同（３））のおおよそ９０度である。一般に保護カバー５３２が横になった状態で部品梱包および搬送がされるので、本第２実施形態では、横になった状態を固定するための仮止め係止機構を備える。仮止め係止機構は、接続ターミナル組付部５３１の前面中央部に備わる係合突起５３１ｂと、保護カバー５３２の本体を構成する前壁５３２ｄの下端部５３２ｅとで構成される。また電解コンデンサ２を収容した状態でリード線２０を保護するように、保護カバー５３２は９０度起こされる。
【００６６】
保護カバー５３２を起こした状態で、穿孔５３２ｃに係合した軸５３１ａは、軸５３１ａの上下方向に備わる平行部と穿孔５３２ｃの方形部とが直線上に位置しスライドするようになる。このとき、接続ターミナル組付部５３１と、保護カバー５３２との対応する面間には互いに接近できるように隙間が生じている。リード線２０は、接続ターミナル１に挟持された状態で、リード線２０の下面を接続ターミナル組付部５３１の上面に当接させた状態で位置する。このとき上面は上述した隙間内にある。すなわち、保護カバー５３２は、穿孔５３２ｃ内で軸５３１ａをスライドさせるようにして、保護カバー５３２の下面に形成された窪みをリード線２０の上面に当接するまで下降させることができる。保護カバー５３２と接続ターミナル組付部５３１との間には、リード線２０への当接位置で保護カバー５３２を固定するための係合機構が備わる。係合機構は、接続ターミナル組付部５３１の背面中央部に備わる係合突起５３１ｃと、保護カバー５３２の側面下端に備わる係合突起５３２ｆとの係合による。
【００６７】
保護カバー５３２は、リード線２０に当接した位置で係合機構によって固定されるので、車の走行時の揺れや振動による衝撃でターミナル１からリード線２０が抜けるのを物理的に防ぐことができる。
【００６８】
〈効果〉
以上詳述した実施形態は、以下の各効果を奏する。
・対向するの挟持片の基端部に挟まれた湾曲部が、対向する挟持片の側面で形成された切欠溝の溝間距離の半分を曲率半径とする曲率に比べて曲率が小さな曲面を構成要素とすることで、湾曲部の輪郭距離は長くなり、湾曲部に臨む周辺領域の領域長は広がる。その結果、挟持片が屈曲したときの屈曲部に生じる応力はこの広がった周辺領域に分散されるので、偏在的な応力の集中は緩和され変形は弾性域内の変形に収まりやすくなる。
・挟持片は、基端部の外側側面で凹部形状の側面湾曲部を形成しているので、側面湾曲部の輪郭距離はストレートでつながる場合に比べて長くなり側面湾曲部に臨む周辺領域の領域長は広がる。その結果、挟持片が屈曲したときの屈曲部に生じる応力はこの広がった周辺領域に分散されるので、偏在的な応力の集中は緩和され変形は弾性域内の変形に収まりやすくなる。
・挟持片の基端部は内側からは湾曲部が迫り、外側からは側面湾曲部が迫るので双方の湾曲部に挟まれた領域の面積は狭められる。その結果、挟持片の屈曲部の剛性は軽減されるので過度の負荷から生じる部材の変形、破壊等の損傷の回避を図ることができる。
・挟持片は先端の内側側面に起伏部を備えている。その結果、一対の挟持片で挟持された
リード線が挟持片間の切欠溝部から外れるのを防ぐことができる。
・電解コンデンサのリード線を保護するカバーを備えているので、揺れや振動等の衝撃が生じても接続ターミナルからリード線が外れにくくなり、その結果一層接続信頼性が向上した電解コンデンサフォルダを提供することができる。
・保護カバーには仮係止機構が備わるので部品梱包や搬送時に揺れや振動等の衝撃が生じても電解コンデンサフォルダに損傷を生じることはない。
・保護カバーにはリード線押さえ機能が備わるので車の揺れや振動等の衝撃が生じてもリード線が接続ターミナルから外れるのを防ぐことができる。
【００６９】
なお、本発明は上記実施の形態に限定されるものではなく、本発明の要旨を逸脱しない範囲において種々の設計変更及び修正を加えることができる。例えば本実施の形態では図面を参照して電解コンデンサフォルダについて説明したが、収容する電子部品は電解コンデンサに限るものではなく、リード線を導出した形態の他の電子部品を収容するフォルダであってよい。また電解コンデンサフォルダは電解コンデンサの一部分を抱え込む構造であるがこれに限るものではなく、全体を覆う構造であってよい。また電解コンデンサフォルダは一体フォルダであるがこれに限るものではなく、分割様式であってもよい。
【符号の説明】
【００７０】
１            接続ターミナル
１０          ベース部
１１          リード線挟持部
１１ａ        挟持片
１１ｂ        切欠溝
１１１        側面湾曲部
１１２        湾曲部
１１３        起伏部
１１３ａ      頂点
１２          基板接続部
２            電解コンデンサ
２ａ          電解コンデンサ本体
２０          リード線
３、５０３    電解コンデンサフォルダ
３０、５３０  電解コンデンサ収容部
３００        底壁
３０１        側壁
３０２        前壁
３０３        後壁
３０４        フォールド部
３０５        リード線受部
３０５ａ      溝
３０５ｂ      溝
３１、５３１  接続ターミナル組付部
５３１ａ      軸
５３１ｂ      係合突起
５３１ｃ      係合突起
３１０        圧入孔
３１１        リード線溝
５３２        保護カバー
５３２ａ      本体
５３２ｂ      支柱
５３２ｃ      穿孔
５３２ｄ      前壁
５３２ｅ      先端
５３２ｆ      係合突起
４            回路基板
【図１】
0005495423.tif 000002
【図２】
0005495423.tif 000003
【図３】
0005495423.tif 000004
【図４】
0005495423.tif 000005
【図５】
0005495423.tif 000006
【図６】
0005495423.tif 000007
【図７】
0005495423.tif 000008